(57)【要約】【課題】一番流下案内板が外側側板と別体で構成されているため、揺動選別棚の強度が低く、また、選別網が揺動選別棚本体と一体であるため、揺動選別棚本体を脱穀装置に装着した状態で一番コンベア周辺のメンテナンスが行いにくい。【解決手段】脱穀室１１の下方の揺動選別棚２０は、移送棚部２２とシーブ２３とストローラック３０とを有し、合成樹脂材により形成する。揺動選別棚２０の下方の一番コンベア３２に穀粒を流下案内する一番流下案内板４０が揺動選別棚２０の外側側枠６３と一体で形成された本体ユニット５１とシーブ２３とおよび選別網を３１を有するインナーユニット５２とを別体で構成する。本体ユニット５１にインナーユニット５２を装着した状態で選別網３１と一番流下案内板４０の一部が平面視において重なるように構成した脱穀装置。【選択図】図３
2014103937.tif 000002
【特許請求の範囲】
【請求項１】
扱胴（１０）を軸装した脱穀室（１１）の下方に唐箕からの送風と前後方向の往復揺動により被処理物を後方へ移送しながら選別する揺動選別棚（２０）を設け、該揺動選別棚（２０）は、脱穀室（１１）から被処理物を受け止める移送棚部（２２）と穀粒と異物を選別するシーブ（２３）とストローラック（３０）とを前側からこの順に並べて配置し、前記シーブ（２３）の下側に該シーブ（２３）から漏下した被処理物を選別する選別網（３１）を有してこれらを合成樹脂材により形成し、揺動選別棚（２０）の下方の一番コンベア（３２）に穀粒を流下案内する一番流下案内板（４０）が揺動選別棚（２０）の外側側枠（６３）と一体で形成された本体ユニット（５１）とシーブ（２３）とおよび選別網を（３１）を有するインナーユニット（５２）とを別体で構成すると共に、本体ユニット（５１）にインナーユニット（５２）を装着した状態で選別網（３１）と一番流下案内板（４０）の一部が平面視において重なるように構成した脱穀装置。
【請求項２】
請求項１記載の発明において、前記一番流下案内板（４０）は後側に至るに従い高くなるように傾斜させ、該一番流下案内板（４０）の後部には該一番流下案内板（４０）よりも後上がりに急傾斜の起立部（７９）を一体で形成した脱穀装置。
【請求項３】
請求項１または請求項２において、前記本体ユニット（５１）と前記インナーユニット（５２）とは、インナーユニット（５２）が上方から本体ユニット（５１）に嵌り込む構成とし、本体ユニット（５１）の左右の外側側枠（６３）における、インナーユニット（５２）が本体ユニット（５１）に嵌り込んだ状態でインナーユニット（５２）のシーブ（２３）の前端部が臨む部位には、後側に至るに従い内側に位置するように平面視で傾斜する傾斜部（１０５）を夫々設けた脱穀装置。
【請求項４】
請求項１または請求項２または請求項３において、前記インナーユニット（５２）に前記シーブ（２３）の傾斜角度の調節自在の後側シーブ（２７）および該後側シーブ（２７）の傾斜調節機構を設け、前記本体ユニット（５１）の所定位置には傾斜調節機構の調節レバー（７５）の操作を可能にする開口部（７７）を設けた脱穀装置。
【発明の詳細な説明】
【技術分野】
【０００１】
本発明は、脱穀装置に係るものである。
【背景技術】
【０００２】
従来、脱穀室の下方に唐箕からの送風と前後方向の往復揺動により被処理物を後方へ移送しながら選別する揺動選別棚を設け、該揺動選別棚を、脱穀室から被処理物を受け止める移送棚部と穀粒と異物を選別するシーブを有して合成樹脂材により形成したものは、公知である（特許文献１参照）。
【先行技術文献】
【特許文献】
【０００３】
【特許文献１】特開２００３−１４３９３１号公報
【発明の概要】
【発明が解決しようとする課題】
【０００４】
前記公知例は、一番流下案内板が外側側板と別体で構成されているため、揺動選別棚の強度が低く、また、選別網が揺動選別棚本体と一体であるため、揺動選別棚本体を脱穀装置に装着した状態で一番コンベア周辺のメンテナンスが行いにくいという課題がある。
本願は、揺動選別棚の構成を工夫して、メンテナンスを容易にしたものである。
【課題を解決するための手段】
【０００５】
請求項１の発明は、扱胴１０を軸装した脱穀室１１の下方に唐箕からの送風と前後方向の往復揺動により被処理物を後方へ移送しながら選別する揺動選別棚２０を設け、該揺動選別棚２０は、脱穀室１１から被処理物を受け止める移送棚部２２と穀粒と異物を選別するシーブ２３とストローラック３０とを前側からこの順に並べて配置し、前記シーブ２３の下側に該シーブ２３から漏下した被処理物を選別する選別網３１を有してこれらを合成樹脂材により形成し、揺動選別棚２０の下方の一番コンベア３２に穀粒を流下案内する一番流下案内板４０が揺動選別棚２０の外側側枠６３と一体で形成された本体ユニット５１とシーブ２３とおよび選別網を３１を有するインナーユニット５２とを別体で構成すると共に、本体ユニット５１にインナーユニット５２を装着した状態で選別網３１と一番流下案内板４０の一部が平面視において重なるように構成した脱穀装置としたものであり、一番流下案内板４０を有する本体ユニット５１を選別網３１を有するインナーユニット５２に取付けて組立て、本体ユニット５１とインナーユニット５２を一体状に揺動させ、揺動選別棚２０のシーブ２３の上面に脱穀室１１から落下した被処理物は、揺動選別棚２０の揺動と送風を受けて藁屑と穀粒に選別され、シーブ２３から落下した被処理物は更に選別網３１により選別されて一番コンベア３２に落下する。
請求項２の発明は、前記一番流下案内板４０は後側に至るに従い高くなるように傾斜させ、該一番流下案内板４０の後部には該一番流下案内板４０よりも後上がりに急傾斜の起立部７９を一体で形成した脱穀装置としたものであり、選別網３１から落下した被処理物は一番流下案内板４０により一番コンベア３２に誘導されて回収される。
請求項３の発明は、前記本体ユニット５１と前記インナーユニット５２とは、インナーユニット５２が上方から本体ユニット５１に嵌り込む構成とし、本体ユニット５１の左右の外側側枠６３における、インナーユニット５２が本体ユニット５１に嵌り込んだ状態でインナーユニット５２のシーブ２３の前端部が臨む部位には、後側に至るに従い内側に位置するように平面視で傾斜する傾斜部１０５を夫々設けた脱穀装置としたものであり、インナーユニット５２を上方から本体ユニット５１に嵌め込んだ状態で一体状に揺動させて選別する。
このとき、本体ユニット５１の外側側枠６３には、後側に至るに従い内側に位置するように平面視で傾斜する傾斜部１０５を夫々設けているので、移送棚部２２からシーブ２３への被処理物の流れを円滑にする。
請求項４の発明は、前記インナーユニット５２に前記シーブ２３の傾斜角度の調節自在の後側シーブ２７および該後側シーブ２７の傾斜調節機構を設け、前記本体ユニット５１の所定位置には傾斜調節機構の調節レバー７５の操作を可能にする開口部７７を設けた脱穀装置としたものであり、調節レバー７５を操作して後側シーブ２７の角度を変更調節するが、揺動選別棚２０の本体ユニット５１の所定位置には開口部７７を設けているので、本体ユニット５１の内側のインナーユニット５２に設けた傾斜調節機構の調節レバー７５の操作を外側から行える。
【発明の効果】
【０００６】
請求項１の発明では、一番流下案内板４０を外側側枠６３と一体で形成すると共に、選別網３１と一番流下案内板４０の一部を平面視において重ねているので、揺動選別棚２０の強度を向上させることができる。
また、本体ユニット５１からインナーユニット５２を取り外すと、一番コンベア３２の上方が開放されるため、揺動選別棚２０を脱穀装置に取付けた状態で一番コンベア３２周辺のメンテナンスを行うことができる。
請求項２の発明では、一番流下案内板４０の後部に起立部７９を一体状に形成しているので、揺動選別棚２０の強度を向上させることができ、一番流下案内板４０の上面に沿って流れる選別風を更に立ち上げて、シーブ２３またはストローラック３０における穀粒の選別精度を向上させることができる。
請求項３の発明では、インナーユニット５２を上方から本体ユニット５１に嵌め込んでいるので、揺動選別棚２０の側枠の左右幅（厚み）が移送棚部２２とシーブ２３の部分で相違するが、この部分に傾斜部１０５を設けているので、被処理物の流れを円滑にする。
請求項４の発明では、後側シーブ２７の角度調節を、本体ユニット５１からインナーユニット５２を取り外さなくても行え、傾斜調節作業を容易に行うことができる。
【図面の簡単な説明】
【０００７】
【図１】脱穀装置の縦断側面図。
【図２】揺動選別棚の斜視図。
【図３】同一部破断した斜視図。
【図４】同縦断側面図。
【図５】同左側面図。
【図６】同右側面図。
【図７】同平面図。
【図８】同底面図。
【図９】同正面図。
【図１０】同背面図。
【図１１】インナーユニットとファーストシーブユニットの斜視図。
【図１２】同左側面図。
【図１３】同平面図。
【図１４】同右側面図。
【図１５】同底面図。
【図１６】同正面図。
【図１７】同背面図。
【図１８】シーブ角度調節機構部分の側面図。
【図１９】同側面図。
【図２０】同斜視図。
【図２１】揺動選別棚の後部の一部斜視図。
【図２２】同斜視図。
【図２３】同側面図。
【発明を実施するための形態】
【０００８】
本発明の一実施例をコンバインの例にて図面により説明すると、１は脱穀装置であり、脱穀装置１は、上部に扱胴１０を略水平に軸装した脱穀室１１を設ける。
扱胴１０の主として下方側は扱網１５により包囲し、扱網１５の下方には唐箕１６の唐箕ケーシング１７を設ける。前記脱穀室１１の下方には前記唐箕１６の送風により穀粒と異物とを風選し得る風選室１８を形成し、風選室１８内には唐箕１６の送風方向（前後方向）に往復揺動する揺動選別棚２０により構成した揺動選別装置２１を設ける。
なお、理解を容易にするため、便宜的に方向を示して説明しているが、これらにより構成が限定されるものではない。
【０００９】
揺動選別装置２１は、その揺動選別棚２０の始端部（前端部）を唐箕ケーシング１２の上方に位置させて脱穀室１１から被処理物を受け止める移送棚部２２に形成する。移送棚部２２の構成は任意であり、移送方向下手側を低く傾斜させたり、あるいは、移送棚部２２の上面に突起や凹凸を設けて、揺動選別装置２１の移送方向下手側のシーブ（グレンシーブ）２３に向けて扱網１５からの落下物を移送できればよい。
前記シーブ２３は脱穀室１１の排稈口２５の略下方よりも上手側に設けた前側シーブ２６と、排稈口２５の略下方から下手側に設けた後側シーブ２７を有している。
３０は後側シーブ２７の下手側に設けたストローラック、３１はシーブ２３の下方に設けた選別網である。また、３２は揺動選別棚２０の下方所定位置に設けた一番コンベア、３３は一番コンベア３２の後側に設けた二番コンベア、３４は吸引排塵ファンである。
【００１０】
しかして、前記揺動選別棚２０は、揺動選別棚２０自体と前記移送棚部２２と前記シーブ２３とシーブ２３の前側シーブ２６の下方の一番流下案内板４０と後側シーブ２７の下方の二番流下案内板４１とストローラック３０と選別網３１とを、合成樹脂材により構成し、前記シーブ２３のうち前側シーブ２６のシーブ板２６Ａの上面には前記脱穀室１１から落下した被処理物を左右方向に均分化を図る寄せ板４３を設ける。寄せ板４３は上方に起立する縦板により形成し、始端側を右側に位置させ、終端側に至るに従い左側となるように平面視において傾斜させる。寄せ板４３は合成樹脂材によりその下部が前記前側シーブ２６の一部または全部のシーブ板２６Ａの上部と一体状に形成する。
したがって、寄せ板４３は前側シーブ２６の複数のシーブ板２６Ａを連結する連結部材として兼用する。
【００１１】
そのため、前側シーブ２６の各シーブ板２６Ａを合成樹脂製により形成しつつ寄せ板４３と互いに強度メンバーとして作用させられ、軽量化を図れる。
前記前側シーブ２６と該前側シーブ２６の後側に設けたラック部４４とは前記寄せ板４３により連結する。ラック部４４は左右方向の板部材４５の上面側に左右方向にフィン体４６を並設して構成し、板部材４５と前側シーブ２６の一部または全部のシーブ板２６Ａとを寄せ板４３により連結する。
そのため、前側シーブ２６とラック部４４とを寄せ板４３により連結するので、強度を向上させられる。
前記揺動選別棚２０の移送棚部２２の上面には、前記脱穀室１１から落下した被処理物を左右方向に均分化を図る前側寄せ板５０を設ける。前側寄せ板５０は寄せ板４３と同様に上方に起立する縦板により形成し、始端側を右側に位置させ、終端側に至るに従い左側となるように平面視において傾斜させる。前側寄せ板５０は合成樹脂材によりその下部が前記移送棚部２２と一体状に形成する。
【００１２】
そのため、前側寄せ板５０は脱穀室１１から移送棚部２２上に落下した被処理物の左右方向への均分化を図り、選別性能を向上させられる。
前記前側寄せ板５０と寄せ板４３は、平面視において、左右にずらせて配置し、直線状にならばないようにする。
そのため、被処理物の移動を円滑にする。
しかして、前記揺動選別棚２０は、移送棚部２２と一番流下案内板４０と二番流下案内板４１とを有する本体ユニット５１に、前記後側シーブ２７とストローラック３０と前記選別網３１とを一体状に形成したインナーユニット５２を着脱自在に取付け、このインナーユニット５２に前側シーブ２６とラック部４４とを一体状に形成したファーストシーブユニット５３を着脱自在に取付けて構成する。
即ち、揺動選別棚２０の下方の一番コンベア３２に穀粒を流下案内する一番流下案内板４０が揺動選別棚２０の外側側枠６３と一体で形成された本体ユニット５１とシーブ２３とおよび選別網を３１を有するインナーユニット５２とを別体で構成すると共に、本体ユニット５１にインナーユニット５２を装着した状態で選別網３１と一番流下案内板４０の一部が平面視において重なるように構成する。
【００１３】
したがって、揺動選別棚２０の本体ユニット５１を機体側に残して、インナーユニット５２およびファーストシーブユニット５３が本体ユニット５１から一体で外れる構成とする。
そのため、揺動選別棚２０全体を外さなくても、一番コンベア３２と二番コンベア３３まで視認でき、整備性を向上させられる。
また、前記ファーストシーブユニット５３は、前側シーブ２６とラック部４４とをファーストシーブユニット５３の左右の側枠（内側側枠）５５を介して一体状に構成する。
即ち、ファーストシーブユニット５３の左右の内側側枠５５に前側シーブ２６の左右両端とラック部４４の板部材４５を一体状に接続する。
そのため、ファーストシーブユニット５３の前側シーブ２６とラック部４４を合成樹脂材による一体成形を容易にする。
【００１４】
ファーストシーブユニット５３は、内側側枠５５の後側所定部分をインナーユニット５２の側枠（中間側枠）５６に後側取付軸５７（図１１）により取付け、内側側枠５５の前側所定部分をインナーユニット５２の中間側枠５６に前側取付軸５８により取付け、ファーストシーブユニット５３の前側部分を上下に位置変更（切替）自在に構成し、前側シーブ２６の傾斜角度を変更可能に構成する。
そのため、処理条件によって、前側シーブ２６の傾斜角度を変更でき、選別適応条件を広くさせられ、選別性能を向上させられる。
この場合、例えば、ファーストシーブユニット５３の内側側枠５５の前側取付軸５８の取付部分に、縦方向の案内溝５８Ａを設け（図３）、案内溝５８Ａの部分で前側取付軸５８によりファーストシーブユニット５３を固定する構成とすると、インナーユニット５２に対してファーストシーブユニット５３の前側部分を上下に位置変更（切替）自在に構成できる。
【００１５】
また、複数並設した各前側シーブ２６の下端の高さ位置が同じに揃うように（図４）、ファーストシーブユニット５３の内側側枠５５と前側シーブ２６を一体成形する。
そのため、前側シーブ２６の下側を移動する藁屑が前側シーブ２６に引っ掛かるのを抑制し、選別性能を向上させられる。
前記インナーユニット５２は、インナーユニット５２の前記中間側枠５６に選別網３１の左右両端を接続して一体成形により形成し、選別網３１の前端と本体ユニット本体ユニット５１の移送棚部２２の後側に設けた底板部５９の後端とに夫々前後に突出する段部６０を設け、選別網３１の段部６０と底板部５９の選別網３１とが上下に重なった状態でインナーユニット５２を本体ユニット５１に組付ける構成とする。
そのため、前側シーブ２６から落下した被処理物を底板部５９により選別網３１にまで揺動選別棚２０から下方に落下させずに誘導でき、選別精度を向上させられる。
なお、選別網３１の段部６０と底板部５９の段部６０との何れが上方になるかは問わず、上下に重なればよい。
【００１６】
前記インナーユニット５２の前記中間側枠５６の上部は、上方に至るに従い外側に位置する傾斜部６１を設け、傾斜部６１の上部略水平のフランジ部６２を一体状に設ける。
そのため、脱穀室１１から落下する被処理物が傾斜部６１により誘導されて揺動選別棚２０内に入り、ロスの発生を抑制でき、また、傾斜部６１とフランジ部６２により補強リブの作用を奏して揺動選別棚２０の強度を向上させられる。
また、中間側枠５６の上部にフランジ部６２を設けているので、インナーユニット５２を本体ユニット５１に取り付ける際にフランジ部６２が本体ユニット５１の側枠（外側側枠）６３の上面に係合し、取付・組立作業を容易にする。
また、インナーユニット５２の選別網３１の前後の部分の中間側枠５６の部位には、円弧状に切り欠いてガイド部６５に形成する（図４）。
そのため、インナーユニット５２を本体ユニット５１に取り付ける際にガイド部６５がガイドになり本体ユニット５１へ入れやすくなる。
【００１７】
インナーユニット５２の前側シーブ２６の下方の中間側枠５６の前側部分には横方向の前側ガイド溝６７を設け、インナーユニット５２のストローラック３０側方の中間側枠５６には縦方向の後側ガイド溝６８を設ける（図４）。
前記前側ガイド溝６７に対応する本体ユニット５１の外側側枠６３にはガイドピン６９を設け、前記後側ガイド溝６８に対応する本体ユニット５１の外側側枠６３にはボルト７０を設ける。
前側ガイド溝６７をガイドピン６９に係合させ、この状態でボルト７０を後側ガイド溝６８に上方から係合させ、ボルト７０により固定して、本体ユニット５１にインナーユニット５２を組付ける。
そのため、インナーユニット５２の取付構成を簡素に構成でき、インナーユニット５２の本体ユニット５１への取付を容易にする。
【００１８】
前記後側シーブ２７の傾斜調節手段をインナーユニット５２の左側中間側枠５６の側面に設ける。
そのため、本体ユニット５１から側方にはみ出さないので、コンパクトになり、揺動選別棚２０を取付ける際等に後側シーブ２７の傾斜調節手段の破損防止できる。
前記各後側シーブ２７の上部の上側突起７１をインナーユニット５２の中間側枠５６に回転自在に取付け、前記各後側シーブ２７の下部の下側突起７２をインナーユニット５２の中間側枠５６の長孔７３に移動自在に係合させ、各後側シーブ２７の下側突起７２を連結体７４で連結し、連結体７４に該連結体７４を移動させる調節レバー７５を取付ける。
連結体７４および調節レバー７５はインナーユニット５２の左側中間側枠５６の側面に設ける。
そのため、後側シーブ２７の調節機構ごとインナーユニット５２を本体ユニット５１に対して着脱することができ、本体ユニット５１とインナーユニット５２を有する揺動選別棚２０の組立を容易にする。
７６は、調節レバー７５を保持するための係合溝であり、インナーユニット５２の中間側枠５６に一体に形成する。
【００１９】
前記後側シーブ２７の調節レバー７５の側方に位置する、前記本体ユニット５１の外側側枠６３には、本体ユニット５１の外側から調節レバー７５の操作を可能にする開口部（切欠部）７７を設ける。
そのため、インナーユニット５２を本体ユニット５１から外すことなく、後側シーブ２７の傾斜調節を行える。
前記インナーユニット５２の内側側枠５６において、前記後側シーブ２７を設けた部分と前記後側ガイド溝６８の間には、後側に至るに従い高くなる傾斜部７８を設ける。
そのため、後側ガイド溝６８をボルト７０に容易に係合させられ、インナーユニット５２の本体ユニット５１への取付を容易にする。
前記選別網３１の後側の一部を前記一番流下案内板４０の前部上方に位置させて、選別網３１と一番流下案内板４０とが上下方向において重なる構成とする。
そのため、選別網３１から漏下する被処理物を一番流下案内板４０が受け止めて一番コンベア３２に誘導するので、選別性能を向上させられる。
【００２０】
一番流下案内板４０は後側に至るに従い高く傾斜させ、一番流下案内板４０の後部には後上がりに急傾斜あるいは垂直方向に立ち上がる起立部７９を一体状に形成する。
そのため、起立部７９が補強リブの作用を奏して強度を向上させられる。
一番流下案内板４０の前側下面には下方に突き出る取付部８０を一体状に形成し、取付部８０にシールゴム８１を取付ける（図４）。
そのため、取付部８０が補強リブの作用を奏して強度を向上させられると共に、シールゴム８１の取付を容易にする。
一番流下案内板４０の右側側面部分は、本体ユニット５１の側枠６３より内側に位置させ、二番コンベア３３の終端に設けた二番還元装置（図示省略）の二番接続メタル（図示省略）を退避させると共に、一番流下案内板４０と一体で内側に傾斜する退避面８２に形成する。
そのため、二番接続メタル（図示省略）上への被処理物の堆積を抑制する。
前記ストローラック３０の下方の二番流下案内板４１には左右一対の後側取付部９０を設け、後側取付部９０に取付軸９１を軸装し、取付軸９１には案内ローラ９２を設け、案内ローラ９２は脱穀装置１の固定側に設けた案内体９３に移動自在に嵌合させる。
【００２１】
後側取付部９０は左右方向の横リブ９４により連結する。
そのため、揺動選別棚２０を揺動させる際の荷重を強固に支持する。
前記揺動選別棚２０の前側部分には左右一対の前側取付部９５を設ける。前側取付部９５には揺動選別棚２０を揺動させる駆動リンクの一部を構成する取付軸９６を軸装する。
そのため、左右の前側取付部９５の先端の幅が狭くなり、揺動選別棚２０の取付けの際の組付を容易にする。
９６Ａは揺動軸である。
なお、前記前側取付部９５は平面視において先端に至るに従い先細形状に形成してもよい。
前記前側取付部９５は、揺動選別棚２０の移送棚部２２の底面に設けた前後方向のリブ９７と一体状に形成し、リブ９７の後側は移送棚部２２の終端部まで延長させて形成する。
そのため、前側取付部９５と移送棚部２２の強度を向上させられる。
【００２２】
前記移送棚部２２の前側部分および下面側の所定部分には、前側取付部９５およびリブ９７が左右に間隔をおいて配置されるベース部９８を形成し、該ベース部９８は、移送棚部２２におけるベース部９８以外の部位よりも肉厚に形成する。
そのため、一層、前側取付部９５の部分の強度を向上させられる。
なお、理解を容易にするために、図８のベース部９８の部分に斜線を付しているが、これにより構成は限定されない。
また、各ベース部９８には左右一対の前記リブ９７を一体状に設け、一方のリブ９７の位置と前側取付部９５の側面位置を直線状に配置している。
そのため、一層、前側取付部９５と移送棚部２２の部分の強度を向上させられる。
前記本体ユニット５１の左右の外側側枠６３の終端は略垂直の後側リブ９９により連結する。
そのため、揺動選別棚２０を揺動させる動力が入力される揺動選別棚２０の後側部分の剛性を向上させられる。
【００２３】
９９Ａは出口ガイド板であり、金属板部材により形成する。出口ガイド板９９Ａは
、前記後側リブ９９に固定状態に取付ける。
そのため、出口ガイド板９９Ａと後側リブ９９は相互に支持し、揺動選別棚２０の後側部分の剛性を向上させられる。
前記本体ユニット５１の左右の外側側枠６３におけるインナーユニット５２が本体ユニット５１に嵌り込んだ状態で、インナーユニット５２のシーブ２３の前端部が臨む部位には、後側に至るに従い内側に位置するように平面視で傾斜する傾斜部１０５を夫々設ける。
即ち、本体ユニット５１の移送棚部２２の終端付近の左右の外側側枠６３には、縦板状で後側に至るに従い内側に位置するように平面視で傾斜する傾斜部１０５を夫々設ける。
そのため、移送棚部２２からシーブ２３の前側シーブ２６への被処理物の移送を円滑にする。
【００２４】
即ち、前記したとおり、揺動選別棚２０は本体ユニット５１とインナーユニット５２とファーストシーブユニット５３により構成され、移送棚部２２の後側の部分の本体ユニット５１にインナーユニット５２およびファーストシーブユニット５３を取り付けるため、ファーストシーブユニット５３の内側側枠５５の位置は、本体ユニット５１の移送棚部２２の部分の外側側枠６３より内側に位置することになり、これを放置すると、移送棚部２２と前側シーブ２６との部分の外側側枠６３と内側側枠５５の段部に被処理物が滞留する。
そこで、本体ユニット５１の移送棚部２２の終端付近の左右の外側側枠６３に、内側に案内する傾斜部１０５を設けているので、移送棚部２２からシーブ２３の前側シーブ２６への被処理物の移送を円滑にする。
前記揺動選別棚２０の本体ユニット５１の左右の外側側枠６３の前側所定位置には側方に突出するガイド突起１０６を設ける（図２）。ガイド突起１０６は脱穀装置１の固定部に設けたレール部材１０７上に移動自在に載置する（図１０）。
【００２５】
前記左右のガイド突起１０６の間には前側横リブ１０８を設ける。
そのため、揺動選別棚２０を揺動させる際に荷重を受けるガイド突起１０６の部分を強固に支持できる。
前記本体ユニット５１の外側側枠６３の側面には金属製の補強プレート１１０を取付ける。補強プレート１１０には内側に突出するガイドピン１１１と固定螺子１１２を設ける。
そのため、ガイドピン１１１と固定螺子１１２が内側に突出するので、本体ユニット５１の強度を向上させられる。
【００２６】
（実施形態の作用）
脱穀室１１に供給された穀稈は脱穀室１１で脱穀され、脱穀された被処理物は扱網１５から漏下して揺動選別装置２１の揺動選別棚２０の始端部の移送棚部２２に落下し、移送棚部２２からシーブ２３の前側シーブ２６に移送されて選別され、更に、唐箕からの送風と、風選室１８内で往復揺動する揺動選別棚２０の後側シーブ２７とにより選別されて、穀粒は落下して一番コンベア３２に回収され、一番コンベア３２に回収されない二番物は、二番コンベア３３に回収され、後側シーブ２７から落下しない藁屑はストローラック３０により機外に排出される。
揺動選別装置２１の揺動選別棚２０は、揺動選別棚２０自体と揺動選別棚２０に設けた移送棚部２２とシーブ２３とシーブ２３の前側シーブ２６の下方の一番流下案内板４０と後側シーブ２７の下方の二番流下案内板４１とストローラック３０と選別網３１とを、合成樹脂材により構成し、シーブ２３のうち前側シーブ２６のシーブ板２６Ａの上面には脱穀室１１から落下した被処理物を左右方向に均分化を図る寄せ板４３を、合成樹脂材によりその下部が前側シーブ２６の一部または全部のシーブ板２６Ａの上部と一体化しているので、寄せ板４３は前側シーブ２６のシーブ板２６Ａを連結する連結部材として兼用する。
【００２７】
そのため、前側シーブ２６を合成樹脂製としつつ寄せ板４３と互いに強度メンバーとして作用させられ、軽量化を図れる。
前側シーブ２６の後側に、左右方向の板部材４５の上面側に左右方向にフィン体４６を並設して構成したラック部４４を設け、板部材４５と前側シーブ２６の一部または全部のシーブ板２６Ａとを寄せ板４３により連結しているので、前側シーブ２６のシーブ板２６Ａとラック部４４とを寄せ板４３により連結するので、強度を向上させられる。
揺動選別棚２０の移送棚部２２の上面には、脱穀室１１から落下した被処理物を左右方向に均分化を図る前側寄せ板５０を設け、前側寄せ板５０は合成樹脂材によりその下部を移送棚部２２と一体状に形成しているので、前側寄せ板５０は脱穀室１１から移送棚部２２上に落下した被処理物の左右方向への均分化を図り、選別性能を向上させられる。
【００２８】
前側寄せ板５０と寄せ板４３は、平面視において、左右にずらせて配置し、直線状に並ばないようにしているので、被処理物の移動を円滑にする。
しかして、揺動選別棚２０は、移送棚部２２と一番流下案内板４０と二番流下案内板４１とを有する本体ユニット５１に、後側シーブ２７とストローラック３０と選別網３１とを一体状に形成したインナーユニット５２を着脱自在に取付け、このインナーユニット５２に前側シーブ２６とラック部４４とを一体状に形成したファーストシーブユニット５３を着脱自在に取付けて構成しているので、揺動選別棚２０の本体ユニット５１を機体側に残して、インナーユニット５２およびファーストシーブユニット５３が本体ユニット５１から一体で外すことができ、揺動選別棚２０全体を外さなくても、一番コンベア３２と二番コンベア３３まで視認でき、整備性を向上させられる。
【００２９】
また、ファーストシーブユニット５３は、前側シーブ２６とラック部４４とをファーストシーブユニット５３の左右の内側側枠５５を介して一体状に構成しているので、ファーストシーブユニット５３の前側シーブ２６とラック部４４を合成樹脂材による一体成形を容易にする。
ファーストシーブユニット５３は、内側側枠５５の後側所定部分をインナーユニット５２の中間側枠５６に後側取付軸後側取付軸５７により取付け、内側側枠５５の前側所定部分をインナーユニット５２の中間側枠５６に前側取付軸５８により取付け、ファーストシーブユニット５３の前側部分を上下に位置変更（切替）自在に構成し、前側シーブ２６の傾斜角度を変更可能に構成しているので、処理条件によって、前側シーブ２６の傾斜角度を変更でき、選別適応条件を広くさせられ、選別性能を向上させられる。
【００３０】
また、複数並設した各前側シーブ２６の下端の高さ位置が同じに揃うように、ファーストシーブユニット５３の内側側枠５５と前側シーブ２６を一体成形しているので、前側シーブ２６の下側を移動する藁屑が前側シーブ２６に引っ掛かるのを抑制し、選別性能を向上させられる。
インナーユニット５２は、インナーユニット５２の中間側枠５６に選別網３１の左右両端を接続して一体成形により形成し、選別網３１の前端と本体ユニット本体ユニット５１の移送棚部２２の後側に設けた底板部５９の後端とに夫々前後に段部６０を設け、選別網３１の段部６０と底板部５９の選別網３１とが上下に重なった状態でインナーユニット５２を本体ユニット５１に組付ける構成としているので、前側シーブ２６から落下した被処理物を底板部５９により選別網３１にまで揺動選別棚２０から下方に落下させずに誘導でき、選別精度を向上させられる。
【００３１】
インナーユニット５２の中間側枠５６の上部は、上方に至るに従い外側に位置する傾斜部６１を設け、傾斜部６１の上部略水平のフランジ部フランジ部６２を一体状に設けているので、脱穀室１１から落下する被処理物が傾斜部６１により誘導されて揺動選別棚２０内に入り、ロスの発生を抑制でき、また、傾斜部６１とフランジ部６２により補強リブの作用を奏して揺動選別棚２０の強度を向上させられる。
また、中間側枠５６の上部にフランジ部６２を設けているので、インナーユニット５２を本体ユニット５１に取り付ける際にフランジ部６２が本体ユニット５１の外側側枠６３の上面に係合し、取付・組立作業を容易にする。
また、インナーユニット５２の選別網３１の前後の部分の中間側枠５６の部位には、円弧状に切り欠いてガイド部６５に形成しているので、インナーユニット５２を本体ユニット５１に取り付ける際にガイド部６５がガイドになり本体ユニット５１へ入れやすくなる。
【００３２】
インナーユニット５２の前側シーブ２６の下方の中間側枠５６の前側部分には横方向で前後方向の前側ガイド溝６７を設け、インナーユニット５２のストローラック３０側方の中間側枠５６には縦方向の後側ガイド溝６８を設け、前側ガイド溝６７に対応する本体ユニット５１の外側側枠６３にはガイドピン６９を設け、後側ガイド溝６８に対応する本体ユニット５１の外側側枠６３にはボルト７０を設けているので、前側ガイド溝６７をガイドピン６９に係合させ、この状態でボルト７０を後側ガイド溝６８に上方から係合させ、ボルト７０により固定して、本体ユニット５１にインナーユニット５２を組付ける。
そのため、インナーユニット５２の取付構成を簡素に構成でき、インナーユニット５２の本体ユニット５１への取付を容易にする。
【００３３】
シーブ２３の各後側シーブ２７は、その上部の上側突起上側突起７１をインナーユニット５２の中間側枠５６に回転自在に取付け、各後側シーブ２７の下部の下側突起７２をインナーユニット５２の中間側枠５６の長孔７３に移動自在に係合させ、各後側シーブ２７の下側突起７２を連結体７４で連結し、連結体７４に該連結体７４を移動させる調節レバー７５を取付けているので、調節レバー７５を操作すると、連結体７４が後側シーブ２７の下側突起７２を前後移動させ、これにより各後側シーブ２７は上側突起７１中心に回動して傾斜角度調節する。
後側シーブ２７の連結体７４および調節レバー７５はインナーユニット５２の左側中間側枠５６の側面に設けているので、後側シーブ２７の調節機構ごとインナーユニット５２を本体ユニット５１に対して着脱することができ、本体ユニット５１とインナーユニット５２を有する揺動選別棚２０の組立を容易にする。
【００３４】
インナーユニット５２の中間側枠５６に、調節レバー７５を保持するための係合溝７６を一体に形成しているので、調節レバー７５は係合溝７６に係合させる。
係合溝７６は、インナーユニット５２の中間側枠５６に一体に形成しているので、成形を容易にする。
後側シーブ２７の調節レバー７５の側方の本体ユニット５１の外側側枠６３には、本体ユニット５１の外側から調節レバー７５の操作を可能にする開口部７７を設けているので、インナーユニット５２を本体ユニット５１から外すことなく、後側シーブ２７の傾斜調節を行える。
前記インナーユニット５２の内側側枠５６において、前記後側シーブ２７を設けた部分と前記後側ガイド溝６８の間には、後側に至るに従い高くなる傾斜部７８を設けているので、後側ガイド溝６８をボルト７０に容易に係合させられ、インナーユニット５２の本体ユニット５１への取付を容易にする。
【００３５】
選別網３１の後部と一番流下案内板４０の前部が上下方向において重なる構成としているので、選別網３１から漏下する被処理物を一番流下案内板４０が受け止めて一番コンベア３２に誘導するので、選別性能を向上させられる。
一番流下案内板４０は後側に至るに従い高く傾斜させ、一番流下案内板４０の後部には一番流下案内板４０よりも急傾斜あるいは垂直状に立ち上がる起立部起立部７９を一体状に形成しているので、起立部７９が補強リブの作用を奏して強度を向上させられる。
一番流下案内板４０はシーブ２３から落下する被処理物を一番コンベア３２に誘導するものであり、前記起立部７９は誘導方向において最上手側に位置することになり、起立部７９の存在が一番流下案内板４０の誘導作用に悪影響を与えることはなく、合理的構成で一番流下案内板４０を含む揺動選別棚２０の剛性を向上させられる。
【００３６】
一番流下案内板４０の前側下面には下方に突き出る取付部８０を一体状に形成し、取付部８０にシールゴム８１を取付けているので、取付部８０が補強リブの作用を奏して強度を向上させられると共に、シールゴム８１の取付を容易にする。
ストローラック３０の下方の二番流下案内板４１の下面に設けた後側取付部９０に取付軸９１により案内ローラ９２を設け、案内ローラ９２を脱穀装置１の固定側に設けた案内体９３に移動自在に嵌合させているので、揺動選別棚２０を前後往復揺動させると、案内体９３に対して案内ローラ９２が前後動して揺動選別棚２０の後部を支持する。
この場合、案内ローラ９２に掛かる荷重を支持する左右一対の後側取付部９０は左右方向の横リブ９４により連結しているので、揺動選別棚２０を揺動させる際の荷重を強固に支持する。
【００３７】
揺動選別棚２０の前側部分に、該揺動選別棚２０を揺動させる駆動リンクの一部を構成する取付軸９６を軸装する左右一対の前側取付部９５を設け、該前側取付部９５は平面視において先端に至るに従い先細形状に形成しているので、左右の前側取付部９５の先端の幅が狭くなり、揺動選別棚２０の取付けの際の組付を容易にする。
前側取付部９５は、揺動選別棚２０の移送棚部２２の底面に設けた前後方向のリブリブ９７と一体状に形成し、リブ９７の後側は移送棚部２２の終端部まで延長させて形成しているので、前側取付部９５と移送棚部２２の強度を向上させられる。
揺動選別棚２０の前側の所定位置には、所定の厚さおよび左右幅を有するベース部９８を設け、ベース部９８に前記左右一対の前側取付部９５の基部を設けているので、一層、前側取付部９５の部分の強度を向上させられる。
なお、前記ベース部９８は左右一対設けており、各ベース部９８に前記前側取付部９５の基部を設けているが、左右のベース部９８を一体状に連結して形成してもよい。
【００３８】
また、各ベース部９８には前記リブ９７を一体状に設けているので、前側取付部９５と移送棚部２２の部分の強度を向上させられる。
本体ユニット５１の移送棚部２２の終端付近の左右の外側側枠６３には、縦板状で後側に至るに従い内側に位置するように平面視で傾斜する傾斜部１０５を夫々設けているので、移送棚部２２からシーブ２３の前側シーブ２６への被処理物の移送を円滑にする。
本体ユニット５１とインナーユニット５２とファーストシーブユニット５３により構成された揺動選別棚２０は、移送棚部２２の後側の部分のファーストシーブユニット５３の内側側枠５５の位置は、本体ユニット５１の移送棚部２２の部分の外側側枠６３より内側に位置することになるが、本体ユニット５１の移送棚部２２の終端付近の左右の外側側枠６３に、内側に案内する傾斜部１０５を設けているので、移送棚部２２からシーブ２３の前側シーブ２６への被処理物の移送を円滑にする。
【００３９】
揺動選別棚２０の本体ユニット５１の左右の外側側枠６３の前側所定位置には側方に突出するガイド突起１０６を設け、左右のガイド突起１０６の間には前側横リブ１０８を設けているので、揺動選別棚２０を揺動させる際に荷重を受けるガイド突起１０６の部分を強固に支持できる。
本体ユニット５１の外側側枠６３の側面には金属製の補強プレート１１０を取付け、該補強プレート１１０には内側に突出するガイドピン１１１と固定螺子１１２を設けているので、ガイドピン１１１と固定螺子１１２が内側に突出するので、本体ユニット５１の強度を向上させられる。
なお、前記した各実施例は、理解を容易にするために、個別にまたは混在させて図示および説明しているが、これらの実施例は夫々種々組合せ可能であり、これらの表現によって、構成・作用等が限定されるものではなく、また、相乗効果を奏する場合も勿論存在する。
【符号の説明】
【００４０】
１…脱穀装置、１０…扱胴、１１…脱穀室、１５…扱網、１６…唐箕、１７…唐箕ケーシング、１８…風選室、２０…揺動選別棚、２１…揺動選別装置、２２…移送棚部、２３…シーブ、２５…排稈口、２６…前側シーブ、２７…後側シーブ、３０…ストローラック、３１…選別網３１、３２…一番コンベア、３３…二番コンベア、３４…吸引排塵ファン、４０…一番流下案内板、４１…二番流下案内板、４３…寄せ板、４４…ラック部、４５…板部材、４６…フィン体、５０…前側寄せ板、５１…本体ユニット、５２…インナーユニット、５３…ファーストシーブユニット、５５…内側側枠、５６…中間側枠、５７…後側取付軸、５８…前側取付軸、５９…底板部、６０…段部、６１…傾斜部、６２…フランジ部、６３…外側側枠、６５ガイド部、６７…前側ガイド溝、６８…後側ガイド溝、６９…ガイドピン、７０…ボルト、７１…上側突起、７２…下側突起、７３…長孔、７５…調節レバー、７６…係合溝、７７…開口部、７８…傾斜部、７９…起立部、８０…取付部、８１…シールゴム、９０…後側取付部、９１…取付軸、９２…案内ローラ、９３…案内体、９４…横リブ、９５…前側取付部、９６…取付軸、９６Ａ…揺動軸、９７…リブ、９８…ベース部、９９…後側リブ、１０５…傾斜部、１０６…ガイド突起、１０７…レール部材、１０８…前側横リブ、１１０…補強プレート。
【図１】
2014103937.tif 000003
【図２】
2014103937.tif 000004
【図３】
2014103937.tif 000005
【図４】
2014103937.tif 000006
【図５】
2014103937.tif 000007
【図６】
2014103937.tif 000008
【図７】
2014103937.tif 000009
【図８】
2014103937.tif 000010
【図９】
2014103937.tif 000011
【図１０】
2014103937.tif 000012
【図１１】
2014103937.tif 000013
【図１２】
2014103937.tif 000014
【図１３】
2014103937.tif 000015
【図１４】
2014103937.tif 000016
【図１５】
2014103937.tif 000017
【図１６】
2014103937.tif 000018
【図１７】
2014103937.tif 000019
【図１８】
2014103937.tif 000020
【図１９】
2014103937.tif 000021
【図２０】
2014103937.tif 000022
【図２１】
2014103937.tif 000023
【図２２】
2014103937.tif 000024
【図２３】
2014103937.tif 000025